(57)【要約】【課題】  ホース本体だけの交換が可能な加熱保温機能付きホースを提供する。【解決手段】  加熱保温機能付きホース１０は、ホース本体１１と、ホース本体１１を加熱するヒータ１８と、ホース本体１１を被覆するように設けられヒータ１８で加熱されるホース本体１１を保温するジャケット１２とを備える。ジャケット１２は、ホース本体１１に対して着脱が可能に構成されている。【選択図】図１
2005121109.tif 000002
【特許請求の範囲】
【請求項１】
ホース本体と、
上記ホース本体を加熱するヒータと、
上記ホース本体を被覆するように設けられ上記ヒータで加熱される該ホース本体を保温するジャケットと、
を備え、
上記ジャケットは、上記ホース本体に対して着脱が可能に構成されていることを特徴とする加熱保温機能付きホース。
【請求項２】
請求項１に記載された加熱保温機能付きホースにおいて、
上記ジャケットは、上記ホース本体に対して側方から着脱可能なように長手方向に延びるように形成されたホース着脱口を有することを特徴とする加熱保温機能付きホース。
【請求項３】
請求項２に記載された加熱保温機能付きホースにおいて、
上記ホース着脱口は、開閉手段により開閉可能に構成されていることを特徴とする加熱保温機能付きホース。
【請求項４】
請求項１に記載された加熱保温機能付きホースにおいて、
上記ジャケットの外側を覆うように設けられた可撓性の管状部材をさらに備えることを特徴とする加熱保温機能付きホース。
【請求項５】
請求項１に記載された加熱保温機能付きホースにおいて、
上記ヒータは、上記ジャケットに取り付けられていることを特徴とする加熱保温機能付きホース。
【請求項６】
加熱保温機能付きホースのホース本体を被覆するように設けられてヒータで加熱される該ホース本体を保温するためのホース用ジャケットであって、
ホース本体に対して着脱可能に構成されていることを特徴とするホース用ジャケット。
【請求項７】
請求項６に記載されたホース用ジャケットにおいて、
ホース本体を加熱するためのヒータが取り付けられていることを特徴とするホース用ジャケット。
【発明の詳細な説明】
【技術分野】
【０００１】
本発明は、ホース本体と、それを加熱するヒータと、ホース本体を被覆して保温するジャケットとを備えた加熱保温機能付きホース及びそれに用いるホース用ジャケットに関する。
【背景技術】
【０００２】
ホットメルト接着剤などの高温状態を維持しなければならない流体を流通させるためのホースとして、ホース本体とそれを加熱するヒータとそれらを被覆するジャケットとからなる加熱保温機能付きホースがある。
【０００３】
特許文献１には、加熱保温機能付きホースのホース用ヒータとして、線状またはテープ状の発熱体の周囲を樹脂製テープで絶縁したテープ状ヒータを使用することが開示されている。そして、これによれば、ホース径を小さくでき、熱効率が良く、正確な温度制御が可能であると記載されている。
【特許文献１】特開２００１−０９９３６３号公報
【発明の開示】
【発明が解決しようとする課題】
【０００４】
図５は、従来の加熱保温機能付きホースの一例を示す。
【０００５】
この加熱保温機能付きホース１０’は、ＰＴＦＥ（ポリテトラフルオロエチレン）製の樹脂ホース１３’を被覆するようにステンレス線で形成されたブレード管からなる耐圧補強層１４’が設けられ、さらにそれを被覆するようにガラス繊維で形成されたブレード管からなる絶縁層２６’が設けられ、これらがホース本体１１’を構成している。ホース本体１１’上には、その長手方向を軸として螺旋状に電熱ヒータ１８’が捲回されている。電線ヒータ１８’の上には、それを覆うようにシリコンスポンジ製の保温層２０’が設けられ、さらに、それを覆うようにポリエステル繊維で形成されたブレード管からなる外装層２１’が設けられ、それらが保温層２７’を構成している。また、ホース先端部には、ホース金具１５’が取り付けられており、それに続くホース端部には、外装層２１’を被覆するようにゴム製の端末キャップ２８’が設けられ、その端末キャップ２８’からヒータ線に接続されたリード線２２’が延びている。この加熱保温機能付きホース１０’では、ホース本体１１’、電熱ヒータ１８’及び保温層２７’が一体となっており、電熱ヒータ１８’の発熱によってホース本体１１’を加熱すると共に、保温層２０’及び外装層２１’によってホース本体１１’を保温するようになっている。
【０００６】
ところで、加熱保温機能付きホース１０’にホットメルト接着剤のような熱劣化性のある流体を長時間流すと、ホース内壁にその劣化物が堆積してホース本体１１’の流動面積が小さくなってしまうこととなる。そのため、ホース本体１１’内を定期的に洗浄することが必要となるが、最終的には、新品に交換せざるを得ない。
【０００７】
ところが、従来の加熱保温機能付きホース１０’は、上記のように、ホース本体１１’、電熱ヒータ１８’及び保温層２７’が一体となった複雑な構成を有しているために高価であり、交換のために多額の費用がかかり、また、不具合があるのはホース本体１１’だけであるにも関わらず、不具合のない電熱ヒータ１８’や保温層２７’までも含めて交換が必要しなければならないという問題がある。
【０００８】
本発明は、かかる点に鑑みてなされたものであり、その目的とするところは、ホース本体だけの交換が可能な加熱保温機能付きホース及びそれに用いるホース用ジャケットを提供することにある。
【課題を解決するための手段】
【０００９】
本発明は、ホース本体とジャケットとを分離可能とし、ジャケットをホース本体に着脱できるように構成したものである。
【００１０】
請求項１に係る発明は、
ホース本体と、
上記ホース本体を加熱するヒータと、
上記ホース本体を被覆するように設けられ上記ヒータで加熱される該ホース本体を保温するジャケットと、
を備え、
上記ジャケットは、上記ホース本体に対して着脱が可能に構成されていることを特徴とする加熱保温機能付きホースである。
【００１１】
上記の構成によれば、ジャケットがホース本体から着脱可能であるので、ホース本体に不具合が生じても、ホース本体だけの交換が可能であり、ジャケットを繰り返し使用することができ、また、従来のように加熱保温機能付きホースごと交換するほどの費用を要さない。
【００１２】
請求項２に係る発明は、請求項１に記載された加熱保温機能付きホースにおいて、
上記ジャケットは、上記ホース本体に対して側方から着脱可能なように長手方向に延びるように形成されたホース着脱口を有することを特徴とする。
【００１３】
上記の構成によれば、ジャケットがホース本体に対して側方から着脱可能であるので、ホース本体の両端がホース金具を介して接続されている状態であってもジャケットの着脱を行うことができる。
【００１４】
請求項３に係る発明は、請求項２に記載された加熱保温機能付きホースにおいて、
上記ホース着脱口は、開閉手段により開閉可能に構成されていることを特徴とする。
【００１５】
上記の構成によれば、開閉手段によりホース着脱口を閉じることにより、ジャケットのホース本体からの脱落を防止すると共に、ジャケット内を密閉してその保温性能を高めることができる一方、ホース着脱口を開くことにより、ジャケットのホース本体からの着脱を容易に行うことができる。
【００１６】
ここで、開閉手段としては、面ファスナー、チャック、ホック、バンド等を挙げることができる。
【００１７】
請求項４に係る発明は、請求項２に記載された加熱保温機能付きホースにおいて、
上記ジャケットの外側を覆うように設けられた可撓性の管状部材をさらに備えることを特徴とする。
【００１８】
上記の構成によれば、ジャケットを覆うように管状部材が設けられているので、例えば、ホース着脱口が面ファスナーにより開閉可能な場合において、面ファスナーの噛み合わせが熱によって解除されても、ジャケットがホース本体から脱落するのを防止することができる。
【００１９】
請求項５に係る発明は、請求項１に記載された加熱保温機能付きホースにおいて、
上記ヒータは、上記ジャケットに取り付けられていることを特徴とする。
【００２０】
上記の構成によれば、再利用されるジャケット側にヒータが取り付けられているので、ホース本体側にヒータが取り付けられている場合よりも、ホース本体の交換に要する費用をより低く抑えることができる。
【００２１】
請求項６に係る発明は、
加熱保温機能付きホースのホース本体を被覆するように設けられてヒータで加熱される該ホース本体を保温するためのホース用ジャケットであって、
ホース本体に対して着脱可能に構成されていることを特徴とする。
【００２２】
上記の構成によれば、ホース本体だけを交換することで加熱保温機能付きホースとして繰り返し使用することができる。
【００２３】
請求項７に係る発明は、請求項６に記載されたホース用ジャケットにおいて、
ホース本体を加熱するためのヒータが取り付けられていることを特徴とするホース用ジャケット。
【００２４】
上記の構成によれば、再利用されるジャケット側にヒータが取り付けられているので、ホース本体側にヒータが取り付けられている場合よりも、ホース本体の交換に要する費用をより低く抑えることができる。
【発明の効果】
【００２５】
以上説明したように、本発明によれば、ジャケットがホース本体から着脱可能であるので、ホース本体に不具合が生じても、ホース本体だけの交換が可能であり、ジャケットを繰り返し使用することができ、また、従来のように加熱保温機能付きホースごと交換するほどの費用を要さない。
【発明を実施するための最良の形態】
【００２６】
以下、本発明の実施形態を図面に基づいて詳細に説明する。
【００２７】
図１及び２は、本発明の実施形態に係る加熱保温機能付きホース１０を示す。図３は、ホース本体１１を示す。図４は、ヒータ付ジャケット１２を示す。
【００２８】
本発明の実施形態に係る加熱保温機能付きホース１０は、ホース本体１１をヒータ付ジャケット１２で被覆し、さらにその外側に管状部材２３を設けた構成のものであり、例えば、ホットメルト接着剤などのように高温状態を維持しなければならない流体を流通させるのに用いられるものである。
【００２９】
ホース本体１１は、例えば、ＰＴＦＥ製の樹脂ホース１３がステンレス線で形成されたブレード管からなる耐圧補強層１４で被覆された構成のものであり、この耐圧補強層１４によって流体の圧力による樹脂ホース１３の膨張を抑えるようになっている。また、両ホース先端部のそれぞれにはホース金具１５が取り付けられている。
【００３０】
ヒータ付ジャケット１２は、複数層からなる可撓管に長手方向に沿って真っ直ぐに切り込みが設けられた構成であり、その切り込みがホース着脱口１６となってホース本体１１に対して側方からの着脱が可能となっている。ヒータ付ジャケット１２の最も内側には、シリコンゴム等の熱伝導性材料に電熱ヒータ１８を埋設してなる熱源層１９が設けられており、電熱ヒータ１８で加熱した熱伝導性材料を介してホース本体１１を加熱するようになっている。熱源層１９の内側には、ホース着脱口１６に対向して長手方向に延びるＶ字溝１９ａが形成されており、これによって、図３に示すように、ヒータ付ジャケット１２全体がホース着脱口１６で開いて縦に二分でき、ホース本体１１の着脱を容易に行えるようになっている。熱源層１９の外側には、メタ系アラミド繊維（例えば、帝人社製、商品名：コーネックス）等の耐熱性繊維のフェルト３層からなる保温層２０が接着されており、熱源層１９によって加熱されたホース本体１１を保温すると共に熱源層１９からの熱が外部に逃げるのを防止するようになっている。保温層２０の外側には、メタ系アラミド繊維（例えば、帝人社製、商品名：コーネックス）等の耐熱難燃織布からなる外装層２１が一体に設けられており、全体を外部から保護するようになっている。外装層２１の周方向の長さは、オーバーラップ部分が生じるように保温層２０の外周よりも長く設定されている。そして、そのオーバーラップ部分の裏面側に長手方向に沿ってポリエステル製の面ファスナー（開閉手段）１７の一方が取り付けられていると共に、それに対向する部分に面ファスナー１７の他方が取り付けられており、これによって、ホース着脱口１６が面ファスナー１７により開閉可能となっている。なお、熱源層１９に埋設されている電熱ヒータ１８は外装層２１の外にリード線２２が引き出されて制御装置に導かれている。また、熱源層１９には温度センサ（図示せず）も設けられており、それも電熱ヒータ１８と同様に外装層２１の外に引き出されて制御装置に導かれている。
【００３１】
管状部材２３は、複数本のポリエステル等ののモノフィラメントを編粗してなる可撓性のメッシュ管２４の両端に金属製リング２５を加締めたものであり、ホース本体１１をヒータ付ジャケット１２で被覆したものが挿通可能な大きさに形成されており、例えば、面ファスナー１７の噛み合わせが熱によって解除されても、ヒータ付ジャケット１２がホース本体１１から脱落するのを防止するようになっている。
【００３２】
以上の構成の加熱保温機能付きホース１０では、ホース本体１１の樹脂ホース１３内に流体が流されるが、その圧力による樹脂ホース１３の膨張が耐圧補強層１４によって抑えられるようになっており、また、ヒータ付ジャケット１２の熱源層１９が電熱ヒータ１８により加熱され、それによってホース本体１１を加熱するようになっており、さらに、保温層２０及び外装層２１によって加熱されたホース本体１１を保温すると共に熱源層１９からの熱の散逸を防止するようになっている。
【００３３】
そして、以上の構成の加熱保温機能付きホース１０によれば、ヒータ付ジャケット１２がホース本体１１から着脱可能であるので、ホース本体１１に不具合が生じても、ホース本体１１だけの交換が可能であり、ヒータ付きジャケット１２を繰り返し使用することができ、また、従来のように加熱保温機能付きホース１０ごと交換するほどの費用を要さない。
【００３４】
また、ホース着脱口１６が面ファスナー１７により開閉可能とされているので、面ファスナー１７を噛み合わせてホース着脱口１６を閉じることにより、ヒータ付ジャケット１２のホース本体１１からの脱落を防止すると共に、ヒータ付ジャケット１２内を密閉してその保温性能を高めることができる一方、面ファスナー１７の噛み合わせを解除してホース着脱口１６を開くことにより、ヒータ付ジャケット１２のホース本体１１からの着脱を容易に行うことができる。
【００３５】
さらに、再利用されるジャケット側にヒータが取り付けられているので、ホース本体１１側にヒータが取り付けられている場合よりも、ホース本体１１の交換に要する費用をより低く抑えることができる。
【００３６】
なお、上記実施形態では、開閉手段として面ファスナー１７によりホース着脱口１６を開閉可能としたが、特にこれに限定されるものではなく、チャック、ホック、バンド等を開閉手段としてもよい。
【産業上の利用可能性】
【００３７】
以上説明したように、本発明は、ホース本体と、それを加熱するヒータと、ホース本体を被覆して保温するジャケットとを備えた加熱保温機能付きホース及びそれに用いるホース用ジャケットについて有用である。
【図面の簡単な説明】
【００３８】
【図１】本発明の実施形態に係る加熱保温機能付きホースの構成を示す図である。
【図２】本発明の実施形態に係る加熱保温機能付きホースの断面図である。
【図３】ホース本体の斜視図である。
【図４】ヒータ付きジャケットの斜視図である。
【図５】従来の加熱保温機能付きホースの構成を示す図である。
【符号の説明】
【００３９】
１０，１０’  加熱保温機能付きホース
１１，１１’  ホース本体
１２  ヒータ付ジャケット
１３，１３’  樹脂ホース
１４，１４’  耐圧補強層
１５，１５’  ホース金具
１６  ホース着脱口
１７  面ファスナー（開閉手段）
１８，１８’  電熱ヒータ
１９  熱源層
１９ａ  Ｖ字溝
２０，２０’  保温層
２１，２１’  外装層
２２，２２’  リード線
２３  管状部材
２４  メッシュ管
２５  金属製リング
２６’  絶縁層
２７’  保温層
２８’  端末キャップ
【図１】
2005121109.tif 000003
【図２】
2005121109.tif 000004
【図３】
2005121109.tif 000005
【図４】
2005121109.tif 000006
【図５】
2005121109.tif 000007